(57)【要約】      （修正有）【課題】互いに関連するドキュメントであっても、このドキュメントを格納すべきディレクトリ、フォルダおよび関連するドキュメントを容易に見出すことが出来る管理システムを提供する。【解決手段】複数の分類項目と、前記分類項目内の複数の属性とを対応させた分類情報と、前記分類項目毎に前記分類項目内の前記複数の属性間の関連を対応させた関連情報とを格納するドキュメント管理マトリックス記憶部１４６と、前記分類情報と関連情報とから、前記属性を格納するファイル格納フォルダを生成するフォルダ生成部とを有し、前記ファイル格納フォルダに格納されているいずれかの属性をルートとする階層構造または前記属性に関連する属性との間の関連を構成し、表示するファイル管理システム。【選択図】図１
2008176587.tif 000002
【特許請求の範囲】
【請求項１】
複数の分類項目と、前記分類項目内の複数の属性とを対応させた分類情報と、前記分類項目毎に前記分類項目内の前記複数の属性間の関連を対応させた関連情報とを格納するドキュメント管理マトリックス記憶部と、
前記ドキュメント管理マトリックス記憶部に格納されている前記分類情報と関連情報とから、前記属性を格納するファイル格納フォルダを生成するフォルダ生成部とを有し、
前記ファイル格納フォルダに格納されているいずれかの属性をルートとする階層構造または前記属性に関連する属性との間の関連を構成し、表示することを特徴とするファイル管理システム。
【請求項２】
前記属性には、設計工程、該工程において作成されるドキュメント、機能、プラットホームに対応する情報を含むことを特徴とする請求項１に記載のファイル管理システム。  
【請求項３】
前記属性に関連する属性との関連は、前記設計工程の順序に沿って表示されることを特徴とする請求項２に記載のファイル管理システム。
【請求項４】
複数の分類項目と、前記分類項目内の複数の属性とを対応させて分類情報を生成し、
前記分類項目毎に前記分類項目内の前記複数の属性間の関連を対応させ関連情報を生成し、
前記分類情報と前記関連情報とから、前記複数の属性を格納するファイル格納フォルダを生成し、
前記ファイル生成フォルダに格納されているいずれかの属性を選択し、
前記選択された属性をルートとする階層構造または前記属性に関連する属性との間の関連を構成し、
前記階層構造または前記属性に関連する属性との間の前記関連を表示すること
を特徴とするファイル管理方法。
【請求項５】
請求項４に記載のファイル管理方法をコンピュータで実行するプログラム。
【発明の詳細な説明】
【技術分野】
【０００１】
本発明は、システム設計などで使用する各種のドキュメントの管理システムに関し、さらに詳しくは、ドキュメント格納するためのファイル格納フォルダを設計対象のシステムに応じた構造とし、このファイル格納フォルダによって、ファイルを管理するファイル管理システムに関する。
【背景技術】
【０００２】
近年、各企業、各小売業は、顧客の多様な各種のニーズに応えるために、顧客の所望する商品を多くの選択肢のなかから選択できる様にして、顧客の期待に応えることが必要になって来ている。そして、この顧客の商品を出来るだけ短納期で納めることも、必要とされている。このために、各業種に応じた業態に応じた利用者側の要望するシステムをより、迅速に、かつ顧客のニーズを取り入れて設計、構築する必要がある。そのためには、このシステム構築に携わるシステムエンジニア、プログラマなどが、システムをより顧客にフレンドリに作成するために、各種のドキュメントを参照、作成する必要がある。通常、ドキュメントはファイルとして格納され、このファイルの内容に応じて構成した階層構造のディレクトリまたはフォルダに格納している。この階層構造でファイルを管理する方法は、階層構造の階層数が増えるに従って、作成したファイルをどのディレクトリやフォルダに格納すべきかや、所望のファイルがどのディレクトリやフォルダに格納されているか検索することが困難になる。
【０００３】
このファイルの格納、検索を視覚的に容易にする方法が例えば、特開２００１−４３２３１号公報に記載されている。この公報に記載されている発明は、階層構造をツリー状に表示し、ツリーの最終の枝であるページにファイルを格納するものである。
【特許文献１】特開２００１−４３２３１号公報。
【発明の開示】
【発明が解決しようとする課題】
【０００４】
上記した公報の発明では、各ファイルが互いに独立しており、一つのファイルを一つのディレクトリやフォルダに対応させることができ、したがって、階層構造も単純なツリー状に構成できる。しかしながら、システム設計などの場合には、或る機能を記述したドキュメントがシステム設計の他のドキュメントと密接に関連しており、この関連までも考慮して、ドキュメントを階層構造で配置すると、複雑なツリー構造になる。したがって、この様な互いに複雑に関連しているドキュメントの格納や検索を視覚的に分かり易くすることは困難であった。
【０００５】
本発明は、互いに関連するドキュメントであっても、このドキュメントを格納すべきディレクトリ、フォルダおよび関連するドキュメントを容易に見出すことが出来る管理システムを提供することを課題とする。
【課題を解決するための手段】
【０００６】
本発明に係るファイル管理システムは、複数の分類項目と、前記分類項目内の複数の属性とを対応させた分類情報と、前記分類項目毎に前記分類項目内の前記複数の属性間の関連を対応させた関連情報とを格納するドキュメント管理マトリックス記憶部と、前記ドキュメント管理マトリックス記憶部に格納されている前記分類情報と関連情報とから、前記属性を格納するファイル格納フォルダを生成するフォルダ生成部とを有し、前記ファイル格納フォルダに格納されているいずれかの属性をルートとする階層構造または前記属性に関連する属性との間の関連を構成し、表示することを特徴とする。
【０００７】
また、本発明に係るファイル管理方法は、複数の分類項目と、前記分類項目内の複数の属性とを対応させて分類情報を生成し、前記分類項目毎に前記分類項目内の前記複数の属性間の関連を対応させ関連情報を生成し、前記分類情報と前記関連情報とから、前記複数の属性を格納するファイル格納フォルダを生成し、前記ファイル生成フォルダに格納されているいずれかの属性を選択し、前記選択された属性をルートとする階層構造または前記属性に関連する属性との間の関連を構成し、前記階層構造または前記属性に関連する属性との間の前記関連を表示することを特徴とする。
【発明の効果】
【０００８】
本発明に係る構成では、複雑に関連するドキュメントの格納するフォルダを、分類ごとおよび関連ごとに記憶して格納しているので、所望のフォルダを、階層表示またはディレクトリ表示できるので、ドキュメントの検索が容易にできる効果を有する。
【発明を実施するための最良の形態】
【０００９】
本発明は、システムを構築する際に作成される各種ドキュメントを所定のフォルダに格納、更新、検索等を可能にするファイル管理システムであり、そのドキュメントの所定のフォルダと他の関連するフォルダとの関係を視覚的に見易くし、格納、更新、検索等の処理を容易にするものである。
【００１０】
図１は、本発明に係るファイル管理システムの構成例を示す図であり、この図１では、ファイル管理システム１００は、操作端末１２０と通信回線１１０を介して接続され、操作端末１３０は、ファイル管理システム１００に直接接続する様に構成されている。ファイル管理システム１００には、操作端末１２０または操作端末１３０の一方のみを接続する様に構成しても良い。
【００１１】
本発明に図示したファイル管理システム１００には、操作端末１２０、操作端末１３０や他のシステム（図示せず）との通信を行うための通信インターフェース部１４０を有している。このファイル管理システム１００を使用する操作端末１２０、操作端末１３０の利用者は予め、アカウントやパスワードを登録認証部１５０を介して登録し、その登録データは、利用者データ記憶部１５２に格納される。この通信インターフェース部１４０を介して、操作端末１２０、操作端末１３０とのデータの送受信を行う際に、操作端末１２０、操作端末１３０からのアクセスに対して、この操作端末１２０、操作端末１３０および、利用者の登録及び認証を登録認証部１５０によって行い、この登録認証部１５０によって、認証された操作端末１２０、操作端末１３０および、利用者はファイル管理システム１００へのアクセスが可能となる。ファイル管理システム１００に認証された操作端末１２０、操作端末１３０からのデータは、ファイル管理システム１００の各部の制御や処理を行うＣＰＵ、およびプログラムを記憶したＲＯＭ、データの一時記憶のためにＲＡＭ等で構成されたドキュメント管理部１４２で処理され、ドキュメント管理マトリックス記憶部１４６およびドキュメント記憶部１４４から所望のデータが操作端末１２０、操作端末１３０に送出されまた、操作端末１２０、操作端末１３０からのデータがドキュメント管理部１４２で所定のフォーマットに変換され、ドキュメント管理マトリックス記憶部１４６やドキュメント記憶部１４４に格納される。
【００１２】
図１において、利用者データ記憶部１５２、ドキュメント管理マトリックス記憶部１４６や、ドキュメント記憶部１４４は個別の記憶部として図示したが、個別に設ける必要はなく同一の記憶装置や、さらに多数の記憶装置に分散してデータを記憶させても良い。さらに、使用する操作端末１２０、操作端末１３０や利用者毎に、制限事項を設け、その制限事項に関するデータを登録データとして、利用者データ記憶部１５２に格納する様に構成しておき、その操作端末１２０、操作端末１３０、および利用者の利用できるデータ範囲や操作内容（ドキュメントの参照のみ、ドキュメントの変更など）を規制する様にしても良い。
【００１３】
つぎに、図２から図１０を参照して本発明に係るファイル格納フォルダの生成処理等についてについて説明する。
【００１４】
図２は、顧客に応じたシステムを構築するのに必要な、各種のドキュメントを、システム構築のシステム構築手順やドキュメントを分類したものである。第１分類２１０は、システム構築の工程順序に関する分類であり、第１分類２１０には、その分類名に相当する工程（Ａ）２１２、以下この分類に属する属性であるシステム分析２１４、ユーザインターフェース２１６、システム設計２１８、プログラム設計２２０等の属性名として登録されている。第２分類２３０は、この分類名に相当する工程（Ｂ）２３２および、第１分類２１０の工程（Ａ）２１４に対応する業務要件定義等２３４、ユーザインターフェース２１６に対応する画面レイアウト設計書等２３６、システム設計２１８に相当するジョブ一覧表等２３８、プログラム設計２２０に相当するアプリケーション構造設計書等２４０が属性として登録されている。第３分類２５０は名称を機能２５２とし、構築しようとしている内容を機能ごとに区分けしたドキュメントを取り扱うものであって、属性としては、この機能（Ａ）、機能（Ｂ）等であり、この機能（Ａ）等２５４は、たとえば以下のような内容を対応する属性名である。
【００１５】
具体例として、住宅の内装商品の受注・発注システム（以下受発注システムと称する。）を構築する場合を説明する。この受発注システムは、顧客がショールーム等を訪れ、所望の商品を購入する場合の商品の見積もり、発注業務や、工務店が顧客から商品の受注を受けて、工務店がこの商品の見積もり、発注業務等を行うためのシステムである。以下には、顧客がショールームを訪れ、所望の商品を購入する場合を説明する。    
【００１６】
この具体例では、システムには下記の機能が要求される。
【００１７】
機能（Ａ）：顧客情報登録。この機能Ａにおいては、商談案件の採番を行い、顧客の住所、電話番号、リホームの場合などでは現住宅の躯体など顧客情報を登録する。
【００１８】
機能（Ｂ）：提案プラン作成機能。この機能Ｂでは、提案プランの採番を行い、顧客の希望する商品に応じた商品シリーズや、商品の色柄などの商品情報を登録する。この提案プランは、高級商品、標準品、機能重視品などの各種プラン等に応じた複数の商品情報を登録しても良い。
【００１９】
機能（Ｃ）：見積もり機能。この機能Ｃでは、例えば顧客が水周りのリホームを所望している場合には、リホームすべき商品であるキッチン、浴槽、トイレなどの商品毎に見積もり、付帯工事の工事費用の見積もり等を行い、顧客の所望商品の見積もり明細書を作成する。この見積もりでは、トイレの見積もりで、大方の商品は標準品で構成し、ドアーの把手は標準品のものに替え、デザインの異なるものを採用することも可能である。
【００２０】
機能（Ｄ）：発注機能。提案したどのプランを発注するかを決定し、発注する機能であり、発注情報は、発注先に送信される。
機能（Ｅ）：帳票作成機能。提案するプラン毎の見積書の作成、商品発注先への注文明細書、図面などの帳票を作成する機能である。
【００２１】
第４分類２６０は、名称をプラットホーム２６２と称し、構築するシステムに使用するＯＳ名であるWindows(商標)、UNIX(商標)等２６４を属性としている。
【００２２】
この図２示した各分類の属性を格納するファイル格納フォルダの生成処理について図３乃至図１０を使用して説明する。本実施例では、ファイル格納フォルダ生成の処理のための各種の入力操作は、図１に示したファイル管理システム１００の入出力装置（図示せず。）や、操作端末１２０または操作端末１３０から行われる。処理を開始すると（ステップ３００）、まず分類の登録およびその分類内の属性を登録する。この登録の際の入力画面の１例を図４に示す。図４に示す本実施例では、画面３４０に分類３４２、名称３４６の各入力項目名が表示されており、その右側に入力欄３４４、３４８が設けられ、属性名３５０の下方に属性名を入力する入力欄３５２が設けられている。各入力欄３４４、３４８、３５２に直接、項目名を入力することも出来、また、各入力欄の右側に逆三角形で表示したプルダウンメニュ用のボタンをクリックすることで、常用する分類名、名称、属性名が各々表示され、表示された項目中から所望の項目をマウス等の入力手段で指示することにより、所望の項目を選択可能になっている。
【００２３】
つぎに、上位分類関連３５４の入力欄は、入力欄３５２に入力する属性名が、上位の分類にどのように関連しているかを、指定するものであり、「無」３５６、「有」３５８、「全」３６０のいずれかをクリックして使用する。「無」３５６は、入力する属性名が、上位の分類に関連しないことを示し、「有」３５８は入力する属性名が上位の分類の或る属性に関連することを示し、「全」３６０は、上位の分類すべてに関連することを示している。
【００２４】
表示枠３７０中の表示欄３７２は、入力欄３５２で選択した「無」３５６、「有」３５８、「全」３６０に応じて、表示される。また、表示枠３７０に表示されている「システム分析」３７４、「ユーザインターフェース」３７６、「システム設計」３７８は、入力欄３５２から入力された属性名を、順次表示するものである。
【００２５】
この図４に示した状態を、さらに詳細に説明すると、この表示状態は、図２の第１分類の各属性名を入力している途中を示しており、入力欄３４４には「第１分類」が、入力欄３４８には「工程（Ａ）」が表示され、入力欄３５２には「システム設計」が入力されている。これら入力欄３５２に入力された属性名は、順に表示枠３７０に表示されている。
【００２６】
この第１分類では、上位の分類が無いので、上位分類関連３５４の「無」３５６がクリックされている（図では網点で示す。）。したがって、入力欄３７２には、「上位関連分類なし」の表示がなされている。
【００２７】
入力欄３５２に図２に示す属性名「プログラム設計」を入力し終わると、図４の確定ボタン３８０をクリックすると、第１分類の登録が終了し、入力され、各属性名は、図１のドキュメント管理部１４２によって、各属性名は順序付けの処理がされ、ドキュメント管理マトリックス記憶部１４６に格納される。
【００２８】
つぎに、図２の第２分類の各属性名の登録について図５を参照して説明する。図５の表示画面は図４と同様であり同符号使用し、説明を省略する。第２分類の各属性は、図２に示した様に、システム分析２１４に対して、業務要件定義等２３４が対応している。そのため、入力欄３４４には、「第２分類」、入力欄３４８には工程（Ｂ）を入力し、入力欄３５２には、第２分類２３０の属性名を入力する（図示では“概念関連図”を入力。）。第２分類２３０の各属性名は、上位分類である第１分類２１０の各属性名に関連しているので、上位分類関連３５４の「有」３５８が選択される。
【００２９】
したがって、この「有」３５８を選択した場合には、表示欄３７２は上位分類名と属性名を入力し、その後、入力欄３５２から各属性名を入力する。図５では、入力欄３５２から入力された「業務要件定義」、「業務運用要件」、「概念関連図」等が表示枠３７０に表示されていることを示す。入力欄３５２に関連した属性名が入力し終わると、確定ボタン３８０をクリックする。この確定ボタン３８０をクリックすると、第１分類工程（Ａ）システム分析に関連する第２分類の属性名の登録が終了し、入力され、互いに関連付けられた各属性名は、図１のドキュメント管理部１４２によって、上位分類と関連付けされ、ドキュメント管理マトリックス記憶部１４６に格納される。
【００３０】
つぎに、図２の第３分類の各属性名の登録について図６を参照して説明する。図６の表示画面は図４、図５と同様であり同符号使用し、説明を省略する。第３分類の各属性は、図２に示した様に、上位の分類である第１分類２１０、第２分類２３０の各属性名にすべて関連するので、図６の上位分類関連３５４の「全」３６０がクリックされ、これに応じて、入力欄３７２には、「上位分類に全関係」と表示される。入力欄３５２に入力された各属性名は、順次、表示枠３７０に表示され、必要な属性名が登録し終わると、確定ボタン３８０をクリックすると、入力され各属性名は、図１のドキュメント管理部１４２によって、上位分類と関連付けされ、ドキュメント管理マトリックス記憶部１４６に格納される。
【００３１】
また、図２に示す第４分類２６０については、上位分類の全てに関連するので、図６で説明した第３分類２５０と同様に、入力され各属性名は、図１のドキュメント管理部１４２によって、上位分類と関連付けされ、ドキュメント管理マトリックス記憶部１４６に格納される。
【００３２】
つぎに、図３に戻り、各分類間での属性の関連を登録するステップ３０４について図７、図８を参照して説明する。
【００３３】
図７は、第１分類の各属性の関連を示す図であるが、図４で示した様に、第１分類の各属性名を入力する順序を、図１で示すドキュメント管理部１４２で、第１分類の各属性間の順位としてリンクさせて、ドキュメント管理マトリックス記憶部１４６に記憶されている。図７は、その関連を表示したものである。
【００３４】
図８は、図２に示した第２分類の各属性名の関連を示すものである。すなわち、画面レイアウト設計書４２０、画面機能仕様書４２２の順に進められた設計結果と、一方、データ構造仕様書４３０、データ仕様書４３２の順に進められた設計結果とが合わされて、次にアプリケーション構造設計書４２４等の作業が進められる。
【００３５】
このように、図８で説明した属性間の関連付けを登録する場合を、図９を参照して説明する。図９（Ａ）は、図４で説明した画面とほぼ同様で、図４の画面中、上位分類関連３５４および表示枠３７０の代わりに表示枠３７１を用いている点である。入力欄３４４、３４８には、関連づける属性の分類名、名称を入力し、入力欄３５２に順次属性名を入力する。図９（Ａ）では、入力欄３５２から入力された属性名が表示枠３７１に、順に画面レイアウト設計書３８２Ａ、画面機能仕様書３８３Ａ、アプリケーション構造設計書３８４と表示されている。このアプリケーション構造設計書３８４Ａに続き、所望の属性名を順次、入力しても良い。入力が終了すると、確定ボタン３８０をクリックすると、入力され表示された属性名は、図１のドキュメント管理部１４２に一旦、保持される。
【００３６】
次に、図９（Ｂ）で、属性名がデータ構造仕様書３８２Ｂ、データ仕様書３８３Ｂ、アプリケーション構造設計書３８４Ｂが順次、入力され表示されている。この時点で確定ボタン３８０をクリックすると、入力され表示された属性名は、図１のドキュメント管理部１４２に一旦、保持されている図９（Ａ）で入力された属性名と、図９（Ｂ）で入力された属性名との比較を行い、同一の属性名をノードとする、図８に示した属性間の関連データを生成し、図１のドキュメント管理マトリックス記憶部に格納する。
【００３７】
つぎに図３に戻り、分類と関連情報とからファイル格納フォルダを生成するステップ３０６を説明する。第１分類の属性名に関しては、図４で示した入力と図１のドキュメント管理部１４２での処理で第１分類間での関連が確定しており、第２分類の属性名については、図５で示した入力方法により図１のドキュメント管理部１４２での処理で第１分類の属性名との関連が確定しており、また、第３、第４分類については、図６でしめした入力方法により図１のドキュメント管理部１４２での処理で上位分類の各属性名との関連が付けられて図１のドキュメント管理マトリックス記憶部１４６に格納されている。
【００３８】
各々の分類毎の属性は各分類内外と関連づけられているので、図１０に相当する各属性に対応するフォルダがドキュメント管理部１４２によって構成され、ドキュメント管理マトリックス記憶部１４６に記憶格納されている。このフォルダは属性に付与されるアドレスごとに、フォルダを対応させることによって、図１０に示すファイル格納フォルダ８００の構造を生成することができる。
【００３９】
図１０で、名称第１分類８１２内には、システム分析８１３〜プログラム設計８１６等の各フォルダが、名称第２分類８２２内には各フォルダ８２３〜８３２が各々上位の分類と関連して格納され、第３、４分類８４２、８５２は、各機能は上位分類の各フォルダに関連して格納されている。なお、第４分類８５２中の属性は、一部のみ示している。
【００４０】
つぎに、このようにして構成した各フォルダを検索する手順を、図１１を参照して説明する。ファイル検索処理は、図１のドキュメント管理部１４２の制御のもとで行われるもので、ステップ５００で検索処理を開始すると、分類指定のステップ５０２に進み分類の指定を行うと、図１２に示す検索軸となる分類の選択画面５５０が操作端末１２０、１３０等のモニタ画面に表示され分類名欄５５２の下部の選択画面５５４にドロップメニュー形式で分類名を選択する。
【００４１】
つぎにステップ５０４で詳細の検索条件を指定する。この時の操作端末１２０、１３０等のモニタ画面に表示された選択画面５７０を図１３に示す。各分類の条件指定欄５７２の下部に、第１分類５７４から第４分類５８０が分類名と名称とが表示され、各左欄に指定項目をドロップメニュー形式で選択し、表示させる。図１３では、第１分類５７４、第２分類５７６については指定なし、第３分類５７８については機能（Ａ）、第４分類については指定なしを選択した例を示す。
【００４２】
この検索条件の指定がおわると、検索結果の表示フォーマットを階層表示かディレクトリ表示かが、操作端末１２０、１３０等のモニタ画面に表示される。階層表示を選択するとステップ５０８で、図１４に示す階層表示が表示される。この表示では、検索条件の検索軸である機能（Ａ）を先頭とする階層構造が表示される。図１５は階層構造の検索結果を示す他の表示例で、図１４と異なる点は、表示画面７００中に検索条件等を示す表示７１０も表示させた点である。
【００４３】
つぎに、図１１のステップ５０６でディレクトリフロー表示を選択するとステップ５１０で機能Ａを軸として、図１６に示すような、各フォルダのディレクトリ表示がなされる。このディレクトリ表示は、図７や、図９などに基づき表示されるものである。このディレクトリ表示としては図１６に示す様に、各属性間の関連を示す表示形式でもよく、この図１６のほかに、図１７の様に表示画面７５２に検索条件７６２をともに表示してもよい。
【００４４】
つぎに図１１に戻り、ステップ５１０で所定のディレクトリに作成したファイル等を登録し、ステップ５１４で処理を終了する。
【産業上の利用可能性】
【００４５】
システム設計に係わる各種のドキュメントを管理するために、システム設計に係わる業務を分類分けし、分類毎に属性分けをして、属性間の関連付けを行って格納フォルダを作成し、検索する際には、階層表示およびディレクトリ表示を可能にする。
【図面の簡単な説明】
【００４６】
【図１】システム構成の一例を示す図
【図２】分類とその属性の一例を示す図
【図３】ファイル格納フォルダの生成処理のフローチャートを示す図
【図４】分類内の属性を登録する入力画面の１例を示す図
【図５】分類内の属性を登録および関連付けする入力画面の１例を示す図
【図６】分類内の属性を登録および関連付けする入力画面の１例を示す図
【図７】分類内の属性の関連の例を示す図
【図８】分類内の属性の関連の例を示す図
【図９】分類内の属性の関連付けをする入力画面の１例を示す図
【図１０】ファイルの格納構造を示す図
【図１１】ファイル検索処理のフローチャートを示す図
【図１２】検索軸となる分類の選択画面の１例を示す図
【図１３】検索条件の指定画面の１例を示す図
【図１４】階層表示の１例を示す図
【図１５】検索結果の表示例を示す図
【図１６】検索結果の表示例を示す図
【図１７】検索結果の表示例を示す図
【符号の説明】
【００４７】
１００    ファイル管理システム
１２０    操作端末
１３０    操作端末
１４２    ドキュメント管理部
８００    ファイル格納フォルダ
【図１】
2008176587.tif 000003
【図２】
2008176587.tif 000004
【図３】
2008176587.tif 000005
【図４】
2008176587.tif 000006
【図５】
2008176587.tif 000007
【図６】
2008176587.tif 000008
【図７】
2008176587.tif 000009
【図８】
2008176587.tif 000010
【図９】
2008176587.tif 000011
【図１０】
2008176587.tif 000012
【図１１】
2008176587.tif 000013
【図１２】
2008176587.tif 000014
【図１３】
2008176587.tif 000015
【図１４】
2008176587.tif 000016
【図１５】
2008176587.tif 000017
【図１６】
2008176587.tif 000018
【図１７】
2008176587.tif 000019